(57)【要約】  【課題】      対象物の表面に汚れをかき取るように接触することにより優れた清掃能力を発揮することができるファッション性に優れた清掃用具および編み立て装置を提供すること。  【解決手段】  対象物２５に擦り付けることにより対象物２５の汚れを取る布状体２を備え、その布状体２が少なくともポリエチレンテレフタレートからなる帯状の繊維３を撚りながら編み込んで形成されたＰＥＴパイル部４を有する。  【選択図】    図１
0003111960.tif 000002
【実用新案登録請求の範囲】
【請求項１】
対象物に擦り付けることにより対象物の汚れを取る布状体を備え、その布状体が少なくともポリエチレンテレフタレートからなる帯状の繊維を撚りながら編み込んで形成されたＰＥＴパイル部を有することを特徴とする清掃用具。
【請求項２】
対象物に擦り付けることにより対象物の汚れを取る丸編み編成された布状体と、この布状体の内部に収容されたスポンジ材とを備え、前記布状体が少なくともポリエチレンテレフタレートからなる帯状の繊維を撚りながら編み込んで形成されたＰＥＴパイル部を有すると共に、このＰＥＴパイル部を表に向けた状態で布状体の内部にスポンジ材を収容し、両端を綴じるように縫着して布状体内にスポンジ材を封入したものであることを特徴とする清掃用具。
【請求項３】
前記少なくともポリエチレンテレフタレートからなる帯状の繊維が、ポリエチレンテレフタレートのフィルムに、着色された樹脂フィルムを貼着したものである請求項１または２に記載の清掃用具。
【請求項４】
前記少なくともポリエチレンテレフタレートからなる帯状の繊維が、ポリエチレンテレフタレートのフィルムに、金属を蒸着させたものである請求項１〜３の何れかに記載の清掃用具。
【請求項５】
前記ＰＥＴパイル部を部分的に設けることにより柄を形成してある請求項１〜４の何れかに記載の清掃用具。
【請求項６】
前記布状体が、アクリルからなる繊維を編み込んで形成されたアクリルパイル部を有する請求項１〜５の何れかに記載の清掃用具。
【請求項７】
前記布状体が、マイクロファイバからなる繊維を編み込んで形成されたファイバパイル部を有する請求項１〜６の何れかに記載の清掃用具。
【請求項８】
布状体にポリエチレンテレフタレートからなる帯状の繊維を編み込んで形成されたＰＥＴパイル部を備えてなり、対象物に擦り付けることにより対象物の汚れを取る清掃用具を丸編み編成する丸編み機であって、布状体を編成するように環状に配列された編み針に対してパイルを構成するための繊維を供給する給糸口と、この給糸口の下流側に配置されて前記繊維を用いて前記パイルを形成するためのパイル編み立てカムと、このパイル編み立てカムによるパイルの形成を制御する制御部とを有することを特徴とする編み立て装置。  
【請求項９】
前記給糸口とパイル編み立てカムとのセットを、前記環状に配列された編み針に対して異なる位相に複数備えてなり、各パイル編み立てカムがそれぞれ独立した動きをするものである請求項8に記載の編み立て装置。
【請求項１０】
前記制御部が清掃用具の柄を記憶する記憶部と、前記パイル編み立てカムの位置に合わせてパイル編み立てカムによるパイルの長さを指示するパイル指示部とを備えてなる請求項8または9に記載の編み立て装置。
【考案の詳細な説明】
【技術分野】
【０００１】
本考案は、清掃用具および編み立て装置に関するものであり、たとえば、台所や浴室などにおいて、汚れた流し台や浴槽などの表面部分および汚れた食器や調理器具などの小物の表面部分を含む、各対象物に擦り付けることにより、この対象物の汚れを取る清掃用具およびこの清掃用具の編み立て装置に関するものである。
【背景技術】
【０００２】
従来より、合成樹脂のフィルムテープにアルミニウムなどの金属蒸着を施したものを糸状の繊維として用いて布状体を形成し、これを「たわし」のように清掃用具として用いることが行われている（以下、このような構成の布状体もたわしと表現する）。合成樹脂のフィルムテープは帯状であるからその角部が清掃の対象物に当接した状態でこれを擦り付けることにより、汚れをかき落とすことができるので、この合成樹脂フィルムテープを用いて形成されたたわしは清掃能力が一般的なスポンジよりも優れている。
【０００３】
また、特許文献１には、ナイロンのような軟質合成樹脂のフィルムの面に多色の塗膜を形成することにより着色を施して、摩耗による色あせを極力抑えることが示されている。特許文献２には、フィルムテープに対して長い繊維条を絡むように巻き付けて１本の糸にしたものをパイルにすることにより、フィルムテープにソフト感を持たせることや過大な張力に耐えられるようにすることが示されている。
【特許文献１】特開平５−３０５０４８号公報
【特許文献２】特開平８−２８０５９４号公報
【考案の開示】
【考案が解決しようとする課題】
【０００４】
しかしながら、従来のたわしでは軟質の合成樹脂を用いているので、フィルムテープそのものの強度が十分でなく、熱を加えるとさらに軟化するので、例えば湯を用いて食器や調理器具などを清掃する時に十分な力を発揮できないことがあった。また、フィルムテープが帯状であるので、パイル部を形成してあっても、角度によってはフィルムテープの滑らかな曲面が清掃対象物の表面を撫でるように接することもあり、汚れをかき取る効果が十分に得られないということもあった。
【０００５】
さらに、フィルムテープに着色を施したとしても単色による着色では、全体的に一つの色に着色できるだけに過ぎなかった。また、フィルムテープに複数の異なる色による着色を施したとしても、不規則な模様を形成できるにすぎず、意味のある絵柄にすることは極めて困難であった。
【０００６】
本考案は上述の事柄に留意してなされたもので、その目的は、対象物の表面に汚れをかき取るように接触することにより優れた清掃能力を発揮することができるファッション性に優れた清掃用具および編み立て装置を提供することである。
【課題を解決するための手段】
【０００７】
上記目的を達成するために、請求項１に記載の清掃用具は、対象物に擦り付けることにより対象物の汚れを取る布状体を備え、その布状体が少なくともポリエチレンテレフタレートからなる帯状の繊維を撚りながら編み込んで形成されたＰＥＴパイル部を有することを特徴としている。なお、ポリエチレンテレフタレートからなる帯状の繊維の厚みは３０〜５０μｍであり、幅は０．７５〜０．８７ｍｍであることが望ましい。
【０００８】
請求項２に記載の清掃用具は、対象物に擦り付けることにより対象物の汚れを取る丸編み編成された布状体と、この布状体の内部に収容されたスポンジ材とを備え、前記布状体が少なくともポリエチレンテレフタレートからなる帯状の繊維を撚りながら編み込んで形成されたＰＥＴパイル部を有すると共に、このＰＥＴパイル部を表に向けた状態で布状体の内部にスポンジ材を収容し、両端を綴じるように縫着して布状体内にスポンジ材を封入したものであることを特徴としている。布状体は人の手のひらに納まる程度の幅であることが好ましい。
【０００９】
前記少なくともポリエチレンテレフタレートからなる帯状の繊維が、ポリエチレンテレフタレートのフィルムに、着色された樹脂フィルムを貼着したものであってもよい（請求項３）。着色された樹脂フィルムとして例えば角度によって異なる色を反射するように複数の色がコーティングされた特殊着色（以下、この特殊着色をオーロラという）加工してあるものを用いることが望ましい。
【００１０】
前記少なくともポリエチレンテレフタレートからなる帯状の繊維が、ポリエチレンテレフタレートのフィルムに、金属を蒸着させたものであってもよい（請求項４）。蒸着させる金属は、例えば銀、銅、金、アルミニウムなどを用いることが望ましい。
【００１１】
前記ＰＥＴパイル部を部分的に設けることにより柄を形成してあってもよい（請求項５）。
【００１２】
前記布状体が、アクリルからなる繊維を編み込んで形成されたアクリルパイル部を有するもよい（請求項６）。
【００１３】
前記布状体が、マイクロファイバからなる繊維を編み込んで形成されたファイバパイル部を有するもよい（請求項７）。
【００１４】
請求項８に記載の編み立て装置は、布状体にポリエチレンテレフタレートからなる帯状の繊維を編み込んで形成されたＰＥＴパイル部を備えてなり、対象物に擦り付けることにより対象物の汚れを取る清掃用具を丸編み編成する丸編み機であって、布状体を編成するように環状に配列された編み針に対してパイルを構成するための繊維を供給する給糸口と、この給糸口の下流側に配置されて前記繊維を用いて前記パイルを形成するためのパイル編み立てカムと、このパイル編み立てカムによるパイルの形成を制御する制御部とを有することを特徴としている。また、前記帯状の繊維の給糸口には繊維を撚りながら給糸するための撚り機構を備えていることが望ましい。
【００１５】
前記給糸口とパイル編み立てカムとのセットを、前記環状に配列された編み針に対して異なる位相に複数備えてなり、各パイル編み立てカムがそれぞれ独立した動きをするものであってもよい（請求項９）。
【００１６】
前記制御部が清掃用具の柄を記憶する記憶部と、前記パイル編み立てカムの位置に合わせてパイル編み立てカムによるパイルの長さを指示するパイル指示部とを備えてもよい（請求項１０）。
【考案の効果】
【００１７】
請求項１に示す清掃用具によれば、ポリエチレンテレフタレート（以下、省略してＰＥＴという）は台所作業や浴室で用いられる程度の湯の温度では軟化することがなく、十分な強度を保つことができる合成樹脂である。したがって、湯を併用した洗浄を行った場合にも、ＰＥＴパイル部の角部によって容易に汚れをかき取ることができる。また、ＰＥＴからなる帯状の繊維（以下、ＰＥＴ繊維という）は撚りながら編み込まれているので、ＰＥＴ繊維の角部は螺旋を描くようになり、ＰＥＴパイル部は清掃対象物との接触部においても捩じれてその角部が清掃対象物に接触する。つまり、ＰＥＴパイル部が清掃対象物に対してどの方向に接触するとしても、その表面の汚れをＰＥＴ繊維の角部によってかき取ることができ、その清掃能力が向上する。
【００１８】
また、ＰＥＴ繊維の厚みを３０〜５０μｍ、幅を０．７５〜０．８７ｍｍとすることにより、ＰＥＴ繊維に適度な堅さとしなやかさを持たせることができる。これによって、ＰＥＴ繊維を用いて汚れをかき取ることができると共に、繊維として使用できる程度に適度に柔軟な糸状に形成することができる。
【００１９】
請求項２に記載の清掃用具によれば、上記効果に加えて、スポンジ材の吸水力を用いて清掃用具の内部に洗剤などを吸収させてこれを蓄えることができるので、より効率的に対象物を清掃することができる。また、丸編み編成された布状体は筒状であるからスポンジ材を内部に収納するためには２辺を縫着するだけでよく、縫着にかかる手間を必要最小限に抑えることができる。布状体が人の手のひらに納まる程度の幅であることにより対象物の清掃に用いやすい。
【００２０】
前記少なくともポリエチレンテレフタレートからなる帯状の繊維が、ポリエチレンテレフタレートのフィルムに、着色された樹脂フィルムを貼着したものである場合（請求項３）には、ＰＥＴ繊維に任意の着色を施すことができるだけでなく、予め着色された樹脂フィルムを貼着するものであるから、着色部分を両フィルムの内側にして貼着することにより、着色部分を両フィルムによって保護することができる。つまり、色落ちやはがれを防止していつまでも同じ輝きを保つことができる。とりわけ、オーロラ加工してある樹脂フィルムを用いることにより、特殊な輝きを持たせることができるので、特別な質感を長く保たせることができる。
【００２１】
前記少なくともポリエチレンテレフタレートからなる帯状の繊維が、ポリエチレンテレフタレートのフィルムに、金属を蒸着させたものである場合（請求項４）には、ＰＥＴ繊維に金属的な質感を持たせることができる。また、蒸着させる金属が銀や銅であれば、ＰＥＴ繊維に銀や銅による抗菌機能を持たせることができる。さらに、蒸着させる金属が金であれば高級感があり、化学反応に強いのではがれ落ちにくくすることができる。蒸着させる金属がアルミニウムの場合は製造コストを低く抑えることができる。
【００２２】
前記ＰＥＴパイル部を部分的に設けることにより柄を形成してある場合（請求項５）には、パイル部の有無やその長さを変えることにより、清掃用具に任意の柄を容易に形成することができる。つまり、パイル部を構成する繊維の色や質感がパイル部の長さによって強調され、パイル部を設けない（パイルの長さを最短にする）ことにより布状体の基布の色が強調されるので、清掃用具の任意の位置においてパイル部の長さを長くすることによりその繊維の色や質感によって布状体に任意の柄を形成することができる。
【００２３】
前記布状体が、アクリルからなる繊維を編み込んで形成されたアクリルパイル部を有する場合（請求項６）には、アクリルには汚れ成分に吸着する性質があるとともに、ＰＥＴ繊維に比べて柔らかいので手触りが良くなり、かつ、アクリルパイル部のクッション性によって対象物に傷を付けにくくすることができる。また、アクリルは染色しやすく色落ちしにくいのでアクリルパイル部によって清掃用具に容易に着色を施すことができる。
【００２４】
前記布状体が、マイクロファイバからなる繊維を編み込んで形成されたファイバパイル部を有する場合（請求項７）には、マイクロファイバの各微細繊維を用いて汚れをかき取ることもできるので、さらに清掃能力を引き上げることができる。
【００２５】
請求項８に示す編み立て装置によれば、所定の位置においてパイル部を形成してなる筒状の布状体を容易に編成することができる。特に給糸口に供給される繊維を編成するときにパイル編み立てカムによってパイルを形成することができるので、このパイル編み立てカムを制御部によって制御することにより、任意の部分でパイルの有無やその長さを変えることができ、ストライプやチェックなどの何らかの柄を形成することができる。また、前記帯状の繊維の給糸口には繊維を撚りながら給糸するための撚り機構を備えている場合には、形成された清掃用具の清掃能力を高めることができる。
【００２６】
前記給糸口とパイル編み立てカムとのセットを、前記環状に配列された編み針に対して異なる位相に複数備えてなり、各パイル編み立てカムがそれぞれ独立した動きをするものである場合（請求項９）には、各パイル編み立てカムにそれぞれ異なる繊維を供給して任意の部分においてパイルを形成する繊維を容易に切り換えることができる。したがって、パイルを構成する繊維を変えることによりストライプやチェックなどの何らかの柄を形成することができる。
【００２７】
前記制御部が清掃用具の柄を記憶する記憶部と、前記パイル編み立てカムの位置に合わせてパイル編み立てカムによるパイルの長さを指示するパイル指示部とを備える場合（請求項１０）には、清掃用具にストライプやチェックなどの単純な柄は勿論のこと、水玉模様や何らかの絵柄など任意の柄を形成することができる。パイルの長さを調整することにより、パイル部を構成する繊維の色や質感を強調する程度を微妙に調整することも可能であるから、複数の繊維の長さをそれぞれ調整して中間的な色や質感を任意に形成することができる。
【考案を実施するための最良の形態】
【００２８】
図１は、本考案の第１実施例である清掃用具１の構成を示す図である。本実施例の清掃用具１は対象物に擦り付けることにより対象物の汚れを取る布状体であって、この布状体は例えばポリエステルをウーリー加工した糸（以下、単にポリエステル糸という）を丸編み編成して成る基布２と、この基布２に対してがＰＥＴからなる帯状のＰＥＴ繊維３を撚りながら編み込んで形成されたＰＥＴパイル部４と、アクリルからなる繊維５（以下、他の繊維と区別する必要がある場合はアクリル繊維５という）を編み込んで形成されたアクリルパイル部６と、マイクロファイバからなる繊維７（以下、他の繊維と区別する必要がある場合はファイバ繊維７という）を編み込んで形成されたファイバパイル部８とを備えてなるものである。
【００２９】
各パイル部４，６，８はそれぞれ菱形の領域ａ１〜ａ４に形成されている。また、領域ａ１にはＰＥＴパイル部４のみが形成され、領域ａ２にはアクリルパイル部６とＰＥＴパイル部４の両方が形成されているが、ＰＥＴパイル部４をアクリルパイル部６よりも短く形成しているので、全体的にはアクリル繊維５の色や質感が表に現れている。領域ａ３にはファイバパイル部８とＰＥＴパイル部４の両方が形成されているが、ＰＥＴパイル部４を短く形成しているので、全体的にファイバ繊維７の色や質感が表に現れている。そして、領域ａ４には全てのパイル部４，６，８が形成されているが、ＰＥＴパイル部４をその他のパイル部６，８に比べて短く形成し、アクリル繊維５とファイバ繊維７の色や質感が混ざったような状態になっている。
【００３０】
つまり、上述のように構成された清掃用具１は、その全面にパイル部４，６，８を形成してあるが、各パイル部４，６，８に対応する領域ａ１〜ａ４毎にパイルを構成する繊維３，５，７を切り換える（別の表現をすると、色や質感の異なる各繊維３，５，７によって形成されるパイルの長さを部分的に変える）ことにより、全体的にチェック柄を描いている。
【００３１】
図２は前記ＰＥＴ繊維３の構成およびその製造方法を説明する図である。図２において、３Ａ，３Ｂは例えばＰＥＴ繊維３の原料となる樹脂フィルムであり、９Ａ，９Ｂはこれらの樹脂フィルム３Ａ，３Ｂを例えば熱融着によって張り合わせてフィルム３’を形成するための圧着ローラである。
【００３２】
つまり、前記フィルム３’は厚さｄ１が例えば１２μｍのポリエチレンテレフタレートからなるフィルム３Ａに、厚さｄ２が例えば１８μｍの合成樹脂からなるオーロラフィルム３Ｂを貼着してなるものである。オーロラフィルム３Ｂには例えば複数の色をコーティングしてオーロラ加工３ａが施されており、オーロラ加工３ａの部分が内側になるように両フィルム３Ａ，３Ｂが貼着されている。そして、両フィルム３Ａ，３Ｂが貼着されたフィルム３’は例えば幅０．７５ｍｍの帯状に切断されることにより、ＰＥＴ繊維３となる。
【００３３】
上述のように構成されたＰＥＴ繊維３はオーロラ加工３ａが樹脂フィルム３Ａ，３Ｂによって保護された内側にあるので、その輝きが劣化することはなく、従来のように色はげなどによって見栄えが悪くなることはない。つまり、ＰＥＴ繊維３はいつまでもオーロラのように角度によって異なる輝きを放つことができる。また、ＰＥＴは家庭で清掃対象物の清掃において用いる程度の湯の温度では軟化することがないので、対象物に付着した汚れを容易にかき取ってこれを洗い流すことができる。すなわち、本考案の清掃用具１を用いてこれを対象物に擦り付けることにより、その対象物の汚れを取ることも可能であるが、水や湯などの流体を併用して汚れを洗浄することにより、その洗浄力をさらに高めることができる。
【００３４】
また、本実施例に示すＰＥＴ繊維３のオーロラ加工３ａは例えば黄色を基調として七色に輝くものである。なお、ＰＥＴ繊維３はオーロラ加工３ａが施されたものであることに限られるものではなく、金属蒸着されたものであってもよい。この場合ＰＥＴフィルム３Ａに対する他のフィルムの貼着を行なう必要はなく、その製造コストを削減することも可能であるが、金属蒸着面を保護するためのフィルムを貼着してもよい。また、金属蒸着とオーロラフィルム３Ｂの貼着を両方行ってもよい。
【００３５】
一方、ＰＥＴ繊維３に金属蒸着を施す場合に、金属蒸着面を表面に露出させることにより、金属による付加的な機能を持たせることも可能である。すなわち、銅や銀などの金属を蒸着させたＰＥＴ繊維３は殺菌力を有する。
【００３６】
何れにしても、ＰＥＴ繊維３はその厚みが３０〜５０μｍ、その幅が０．７５〜０．８７ｍｍであるときにＰＥＴパイル部４に清掃用具１として適当な堅さとしなやかさを持たせることができる。
【００３７】
本考案の清掃用具１は、上述のように構成されたＰＥＴ繊維３は撚りながら基布２に編み込んたものである。したがって、ＰＥＴ繊維３の角部はスパイラル状の捩じれを有するものであり、この捩じれによってＰＥＴパイル部４は対象物に万遍なく接触することができ、その汚れをかき取ることができるように構成されている。（後述する図５参照）
【００３８】
前記アクリル繊維５は例えば黄色に染色されている。アクリル繊維５には柔軟性や吸水性があり、染色しやすく色落ちしにくいという特性がある。すなわち、アクリルパイル部６はＰＥＴパイル部４に比べて吸水性に優れているので、本実施例のようにＰＥＴパイル部４だけを形成してある領域ａ１の周囲にＰＥＴパイル部４を含む領域ａ２，ａ４を配置することにより、洗剤などを吸収させて清掃能力を向上させることができる。
【００３９】
さらに、アクリルパイル部６とＰＥＴパイル部４の両方を含む領域ａ２，ａ４においては、対象物に対してまずアクリルパイル部６が接触してからＰＥＴパイル部４が接触するので、対象物に対する接触をよりソフトにすることができる。つまり、対象物に傷を付けることがないように、これを保護することができる。
【００４０】
前記ファイバ繊維７は例えば玉子色に染色されている。ファイバ繊維７には幾らかの吸水性があるだけでなく、ファイバ繊維７を構成する各微細繊維が対象物の表面に擦り付けられることにより、その汚れを容易に落とすことができるようにしてある。また、ファイバ繊維７が前記アクリル繊維５よりも幾らか薄い色に染色されているので、前記領域ａ３に玉子色の着色を施すことができる。なお、領域ａ４にはアクリル繊維５とファイバ繊維７の色の中間的な色にすることができる。
【００４１】
つまり、本実施例の清掃用具１は黄色を基調として、色の濃い部分と薄い部分およびオーロラのような輝きを有する部分をそれぞれほゞ菱形に形成することにより、チェックの柄にしてある。そして、この柄はファッション性と機能性を兼ね備えたものである。
【００４２】
図３は前記清掃用具１を丸編み編成する編み立て装置１０の構成を概念的に示す図である。図３において、１１は布状体２を編成するように環状に配列された編み針、１２〜１４はこの編み針１１に対してパイルを構成するための３本の繊維３，５，７をそれぞれ供給する給糸口、１５〜１７はそれぞれ給糸口１２〜１４の下流側に配置されて前記繊維３，５，７を用いて前記パイル部４，６，８を形成するためのパイル編み立てカム、１８はパイル編み立てカム１５〜１７によるパイルの形成を制御する制御部である。
【００４３】
前記編み針１１は例えば編成部１１ａが直径３〜４インチ（７．６〜１０．２ｃｍ）の円形になるように配置されており、前記ポリエステル糸（図示していない）を布状体２の基本構成となるように編成するように多数配列されている。そして、前記給糸口１２〜１４とパイル編み立てカム１５〜１７とのセットは編み針１１に対して回転することにより、前記布状体２に各パイル部４，６，８を編み込むことができるように構成してある。
【００４４】
前記給糸口１２にはＰＥＴ繊維３を撚りながら給糸するための撚り機構が形成されており、これによってＰＥＴパイル部４を構成するＰＥＴ繊維３が捩れて、その角部が螺旋状になるように構成してある。
【００４５】
各パイル編み立てカム１５〜１７は３本の異なる糸をそれぞれ編み立てるものであるから、互いに１２０°の位相差を設けて配置されており、それぞれが独立して動作することにより、各繊維３，５，７によるパイル部４，６，８の有無およびパイル長さの調整をそれぞれ独立して調節できるように構成してある。なお、前記給糸口１２〜１４およびパイル編み立てカム１５〜１７の数は編み込む繊維３，５，７の数に合わせて設けられるものである。したがって、４本の繊維を編み込む場合は、各給糸口１２…およびパイル編み立てカム１５…の間隔は９０°であり、２本の場合は１８０°である。
【００４６】
前記制御部１８の構成は、種々の変形が考えられるが、例えば前記清掃用具１に形成したい柄１９を記憶する記憶部１８ａと、前記パイル編み立てカム１５〜１７の回転位置に合わせて各パイル編み立てカム１５〜１７を独立して制御することによりパイルの長さ（つまり、長さが０であるときにパイルを形成しない）を指示するパイル指示部１８ｂと、記憶部１８ａに記憶された柄１９になるようにパイル指示部１８ａを制御する中央処理部１８ｃとを備えている。
【００４７】
なお、前記パイル指示部１８ｂまたはパイル編み立てカム１５〜１７には、給糸口１２〜１４とパイル編み立てカム１５〜１７とのセット（以下、パイル編成機構Ｐという）の回転位置を読み取るためのロータリエンコーダやポテンショメータのような測位機構を備えているが、この測位機構には種々の構成が考えられる。
【００４８】
上述の編み立て装置１０を用いることにより、任意の柄の清掃用具１を形成することができる。したがって、図１，２において、清掃用具１は柄がチェックである例を示しているが、本考案はこの点に限られるものではなく、ストライプ、水玉模様、任意の絵柄など種々の形態が考えられる。また、各繊維３，５，７の色や性質も上述したものに限定されるものではないことはいうまでもない。色の３原色のように全く異なる色の複数の繊維を組み合わせることにより、鮮明な柄を形成することも可能である。そして、ＰＥＴパイル部４さえ含まれていれば、アクリルパイル部６やファイバパイル部８を省略するようにしてもよい。
【００４９】
図４は前記清掃用具１をさらに加工して形成した第２実施例の清掃用具２０の構成を示す図である。つまり、図４に示す清掃用具２０は前記清掃用具１の内部に平板状のスポンジ材２１（スポンジ）を収容したものである。
【００５０】
図４（Ａ）に示すように、筒状の清掃用具１は適宜の長さに切断し、一端１ａを縫着することにより袋状となる。次いで、パイル部４，６，８を表に向けた状態で、この袋内にスポンジ２１を収容し、他端１ｂを縫着する。図４（Ｂ）は、内部にスポンジ２１を収容してなる吸水性に優れた清掃用具２０の構成を示す図である。
【００５１】
図４（Ｂ）に示す清掃用具２０において、縫着部分２２，２３は僅か２か所であるから、清掃用具２０の製造工程を可能なかぎり簡単にすることができる。つまり、清掃用具２０の製造コストを削減することができる。また、スポンジ２１に洗剤などを吸収させることにより対象物を容易に清掃することができる。
【００５２】
図５は上述のように構成された清掃用具２０（清掃用具１でも同様である）を用いて清掃対象物として皿２５に擦り付けた状態を一部拡大して示す図である。図５の拡大図に示すように、本考案の清掃用具１，２０において、ＰＥＴパイル部４を構成するＰＥＴ繊維３は撚りながら編み込んであるから、この撚りによってＰＥＴ繊維３の角部３ｂが螺旋を描くように捩じられる。
【００５３】
したがって、図５に示す例では一つのパイルにつき、少なくとも３か所の角部３ｂが皿２５の表面に接触するので、この角部３ｂを用いて皿２５の表面に付着した汚れを容易にかき取ることができる。また、角部３ｂはあらゆる角度で皿２５の表面に接触するので、清掃用具１，２０をどの方向に移動させても皿２５の表面にある汚れをかき取ることができる。そして、ＰＥＴ繊維３は弾性変形するものであるから適度な弾力性を有し、前記角部３ｂの螺旋形状を保形できると共に、使用者に触れることができる程度の温度では軟化することもないので、湯を用いた清掃を行っても十分な性能を発揮することができる。
【００５４】
また、図５に示す清掃用具２０では、表面に意味のある絵柄２６を形成してある。つまり、本考案のようにパイル部４，６，８の有無および長さを制御することによって、パイル部４，６，８を部分的に設けたり、パイル部４，６，８を構成する繊維３，５，７を部分的に変えて柄を形成するので、本考案の清掃用具１，２０では、従来のものでは全く不可能であった任意の柄をパイル部４，６，８によって形成することができる。
【図面の簡単な説明】
【００５５】
【図１】本考案の第１実施例に係る清掃用具の例を示す図である。
【図２】前記清掃用具を構成する繊維の構成を示す図である。
【図３】前記清掃用具の編み立て装置の構成を説明する図である。
【図４】本考案の第２実施例に係る清掃用具の例を示す図である。
【図５】前記清掃用具の効果を説明する図である。
【符号の説明】
【００５６】
１，２０    清掃用具
２          布状体
３          帯状の繊維
３Ａ        ポリエチレンテレフタレートのフィルム
３Ｂ        樹脂フィルム
４          ＰＥＴパイル部
５          アクリルからなる繊維
６          アクリルパイル部
７          マイクロファイバからなる繊維
８          ファイバパイル部
１１        編み針
１２〜１４  給糸口
１５〜１７  パイル編み立てカム
１８        制御部
１８ａ      記憶部
１８ｂ      パイル指示部
１９，２６  柄
２５        対象物
【図１】
0003111960.tif 000003
【図２】
0003111960.tif 000004
【図３】
0003111960.tif 000005
【図４】
0003111960.tif 000006
【図５】
0003111960.tif 000007